(57)【要約】【課題】  光学ヘッドが塵埃によって汚染されている状態および光ディスク媒体が塵埃によって汚染されている状態を、簡易な構成によって峻別して検出する。【解決手段】  基準ディスクからの反射光量を基準反射光量Ｒｉとして記憶しておくとともに、使用ディスクからの反射光量Ｒａと上記基準反射光量Ｒｉとを比較し（Ｓ３０１）、使用ディスクからの反射光量Ｒａが上記基準反射光量Ｒｉよりも所定以上小である場合に、基準ディスクの装着を促し（Ｓ３０３）、再度装着された基準ディスクからの反射光量Ｒｉ２と上記基準反射光量Ｒｉとを比較し、基準ディスクからの再度の反射光量Ｒｉ２が上記基準反射光量Ｒｉとほぼ等しい場合には上記使用ディスクが汚染されていると判断し（Ｓ３０７）、基準ディスクからの再度の反射光量Ｒｉ２が上記基準反射光量Ｒｉよりも所定以上小である場合には上記光ビームの光量が低下していると判断する（Ｓ３０８）。【選択図】  図２Ｃ
2005078701.tif 000002
【特許請求の範囲】
【請求項１】
ディスクの記録面に光ビームを照射しつつこの光ディスクに情報の記録および／または再生を行なう光ディスク装置であって、
基準ディスクからの反射光量を基準反射光量として記憶しておくとともに、使用ディスクからの反射光量と上記基準反射光量とを比較し、使用ディスクからの反射光量が上記基準反射光量よりも所定以上小である場合に、基準ディスクの装着を促し、
再度装着された基準ディスクからの反射光量と上記基準反射光量とを比較し、基準ディスクからの再度の反射光量が上記基準反射光量とほぼ等しい場合には上記使用ディスクが汚染されていると判断し、基準ディスクからの再度の反射光量が上記基準反射光量よりも所定以上小である場合には上記光ビームの光量が低下していると判断することを特徴とする、光ディスク装置。
【請求項２】
ディスクの記録面に光ビームを照射しつつこの光ディスクに情報の記録および／または再生を行なう光ディスク装置であって、
ディスクからの反射光量を検出する反射光量検出手段と、
基準ディスクから上記反射光量検出手段によって検出された反射光量を記憶する基準反射光量記憶手段と、
基準ディスク以外の使用ディスクから上記反射光量検出手段によって検出された反射光量と上記基準反射光量記憶手段に記憶された基準反射光量とを比較する第１の比較手段と、
上記第１の比較手段が、上記使用ディスクからの反射光量が上記基準反射光量よりも所定以上小であると判断した場合に基準ディスクの装着を促す第１の通知手段と、
上記第１の通知手段による通知の後に装着された基準ディスクから上記反射光量検出手段によって検出された再度の反射光量と上記記憶手段に記憶された基準反射光量とを比較する第２の比較手段と、
上記第２の比較手段が、上記再度の反射光量が上記基準反射光量とほぼ等しいと判断した場合に、上記使用ディスクが汚染されている旨を通知する第２の通知手段と、
上記第２の比較手段が、上記再度の反射光量が上記基準反射光量よりも所定以上小であると判断した場合に、上記光ビームの光量が低下している旨を通知する第３の通知手段と、
を備えることを特徴とする、光ディスク装置。
【請求項３】
複数装着されたディスクのうちの選択したものの記録面に光ビームを照射しつつこの光ディスクに情報の記録および／または再生を行なう光ディスク装置であって、
セットアップ時に複数装着されたディスクのうち選択したディスクを基準ディスクとしてこの基準ディスクからの反射光量を基準反射光量として記憶しておくとともに、任意の時点で上記複数装着されたディスクのうち選択した第１選択ディスクからの反射光量と上記基準反射光量とを比較し、上記第１選択ディスクからの反射光量が上記基準反射光量よりも所定以上小である場合に、他の１または複数の第２選択ディスクからの反射光量と上記基準反射光量とを比較し、いずれかの第２選択ディスクからの反射光量が上記基準反射光量とほぼ等しい場合には上記第１選択ディスクが汚染されていると判断し、第２選択ディスクからの反射光量がいずれも上記基準反射光量よりも所定以上小である場合には上記光ビームの光量が低下していると判断することを特徴とする、光ディスク装置。
【請求項４】
ブレード筐体を備え、このブレード筐体の一端に着脱自在に装着された媒体格納部に上記複数のディスクが装着されており、
上記ブレード筐体内に上記媒体格納部から距離を置いて、ディスクに対して情報の記録および／または再生を行なう記録再生部が配置されており、
上記複数のディスクのうちの選択したものは、媒体移動部によって上記媒体格納部と上記記録再生部との間を移動させられる、請求項３に記載の光ディスク装置。
【請求項５】
請求項４に記載の光ディスク装置が複数着脱自在に装着されるシステム筐体と、
上記システム筐体に装着された複数の光ディスク装置のそれぞれにおける情報の記録および／または再生を統括する統括部を備えることを特徴とする、光ディスクライブラリシステム。
【発明の詳細な説明】
【技術分野】
【０００１】
本願発明は、光ディスク媒体に対して情報の記録および／または再生を行なう光ディスク装置、および、光ディスク装置を複数統合して構成される光ディスクライブラリシステムに関する。なお、ここでいう光ディスク媒体には、相変化媒体（ＣＤ−ＲＷ，ＤＶＤ＋ＲＷ，ＤＶＤ−ＲＷ，Ｂｌｕ−ｒａｙ  Ｄｉｓｋ）や光磁気媒体（ＭＯ，ＭＤ）、色素媒体（ＣＤ−Ｒ，ＤＶＤ＋Ｒ，ＤＶＤ−Ｒ）、プリフォーマット媒体（ＤＶＤ−ＲＡＭ）などが含まれる。また、ここでいう光ディスク装置には、可換媒体を装着して記録・再生を行なうもののほか、光ディスク媒体を一体に内蔵して記録・再生を行なうものが含まれる。本明細書において、光ディスク媒体を、単に光ディスク、あるいはディスクということがある。
【背景技術】
【０００２】
たとえば、大規模コンピュータシステムのための巨大容量をもった外部記憶装置として、磁気テープによる記憶装置に代えて、光ディスク装置あるいはこの光ディスク装置を複数統合して構成される光ディスクライブラリシステムが有用と考えられるに至っている。光学ヘッドの高ＮＡ化、ディスクの膜面側から光ビームを当てて記録・再生を行なうフロントイルミネーション方式の媒体の採用、あるいは、短波長レーザダイオードの低価格実用化により、きわめて高密度の記録・再生が実用段階に入ってきたこと、データへのアクセスが高速で行なえること、ディスク媒体そのものが磁気テープに比較して長期間耐用可能であること、などがその理由である。
【０００３】
ところで、フロントイルミネーション方式の光ディスク媒体を用いる場合、その表面に付着した塵埃等の汚れが記録・再生に及ぼす悪影響が顕著となるため、対策が必要である。また、光ディスク装置においては、使用期間の経過とともに、光源の劣化や光学ヘッドのレンズ面等への塵埃の付着に伴い、記録・再生が正常に行なえなくなる懸念がある。
【０００４】
たとえば、特許文献１あるいは特許文献２には、光ディスク装置内の光学系の汚染レベルを検出器への光の入射強度として検出し、この汚染レベルが基準値を超えた場合にユーザに通知し、光学ヘッドのクリーニングを促すようにしたものが開示されている。しかしながら、これらの文献に示されたものは、光ディスクの表面が汚れている場合に対する適当な対策を提供するものではない。
【０００５】
また、特許文献３には、光ディスク媒体の表面に散在するキズ、汚れを検出しつつ、このようなキズ、汚れに起因した光ビームの制御の乱れを極力少なくするようにしたものが開示されている。しかしながら、同文献に示された構成は、光ディスク媒体の表面に均等に付着した汚れに起因する記録・再生時の不都合、すなわち、全面的な反射率の低下に起因する記録・再生時の不都合を適切に回避する対策を提供するものではない。
【０００６】
【特許文献１】特開平７−１７６１０４号公報
【特許文献２】特開平５−２４２５５４号公報
【特許文献３】特開平９−１０２１６３号公報
【０００７】
上記のように、光ディスク装置が塵埃によって汚染され、それに伴い、光ディスク媒体の表面が均等に汚染される可能性がある場合において、検出器への光の入射強度が変化したことを検出するだけでは、それが光学ヘッドの汚れに起因するものなのか、光ディスク媒体の表面の全面的な汚染に起因するものなのかを判定することは困難である。
【０００８】
一方、光ディスク装置が複数統合されて構成される光ディスクライブラリシステムのように、光学ヘッドの数にも増して、光ディスク媒体の総数が相当数にのぼるような場合、表面が汚染された光ディスク媒体、あるいは、光学ヘッドを特定していちはやく対処することが望まれる。このような光ディスクライブラリシステムは、安易な運転停止を許されない大規模コンピュータシステムのための大容量外部記憶装置としての利用が期待されているからである。
【発明の開示】
【発明が解決しようとする課題】
【０００９】
したがって、本願発明の目的は、光学ヘッドが塵埃によって汚染されている状態および光ディスク媒体が塵埃によって汚染されている状態を、簡易な構成によって峻別して検出することができるように構成した光ディスク装置およびこの光ディスク装置が複数統合された光ディスクライブラリシステムを提供することである。
【課題を解決するための手段】
【００１０】
上記の課題を解決するため、本願発明では、次の各技術的手段を採用した。
【００１１】
本願発明の第１の側面によって提供される光ディスク装置は、ディスクの記録面に光ビームを照射しつつこの光ディスクに情報の記録および／または再生を行なう光ディスク装置であって、
基準ディスクからの反射光量を基準反射光量として記憶しておくとともに、使用ディスクからの反射光量と上記基準反射光量とを比較し、使用ディスクからの反射光量が上記基準反射光量よりも所定以上小である場合に、基準ディスクの装着を促し、
再度装着された基準ディスクからの反射光量と上記基準反射光量とを比較し、基準ディスクからの再度の反射光量が上記基準反射光量とほぼ等しい場合には上記使用ディスクが汚染されていると判断し、基準ディスクからの再度の反射光量が上記基準反射光量よりも所定以上小である場合には上記光ビームの光量が低下していると判断することを特徴としている。
【００１２】
好ましくは、上記光ディスク装置は、ディスクの記録面に光ビームを照射しつつこの光ディスクに情報の記録および／または再生を行なう光ディスク装置であって、
ディスクからの反射光量を検出する反射光量検出手段と、
基準ディスクから上記反射光量検出手段によって検出された反射光量を記憶する基準反射光量記憶手段と、
基準ディスク以外の使用ディスクから上記反射光量検出手段によって検出された反射光量と上記基準反射光量記憶手段に記憶された基準反射光量とを比較する第１の比較手段と、
上記第１の比較手段が、上記使用ディスクからの反射光量が上記基準反射光量よりも所定以上小であると判断した場合に基準ディスクの装着を促す第１の通知手段と、
上記第１の通知手段による通知の後に装着された基準ディスクから上記反射光量検出手段によって検出された再度の反射光量と上記記憶手段に記憶された基準反射光量とを比較する第２の比較手段と、
上記第２の比較手段が、上記再度の反射光量が上記基準反射光量とほぼ等しいと判断した場合に、上記使用ディスクが汚染されている旨を通知する第２の通知手段と、
上記第２の比較手段が、上記再度の反射光量が上記基準反射光量よりも所定以上小であると判断した場合に、上記光ビームの光量が低下している旨を通知する第３の通知手段と、
を備える。
【００１３】
本願発明の第１の側面に係る光ディスク装置は、可換媒体が装着されて使用されるものである。使用ディスクからの反射光量が低下している場合、光学系原因と媒体原因とが考えられる。本願発明の第１の側面では、再度基準ディスクの装着を促し、その反射光量と記憶された基準反射光量とを比較するという手法によっていずれの原因かを判定する。すなわち、再度装着された基準ディスクからの反射光量の低下がみられない場合には、光学系の劣化または汚れはないことになるから、上記した使用ディスクからの反射光量の低下は、この使用ディスクの表面汚れが原因することになる。また、再度装着された基準ディスクについても反射光量の低下がみられる場合は、光学系の劣化または汚れが原因することになる。このようにして、使用ディスクからの反射光量の低下の原因が判明する。基準ディスクとしては、当該装置において使用可能な新品のディスクを基準ディスクと判断するようにしてもよいし、特別に準備して装置とともにユーザに提供されたものであってもよい。
【００１４】
本願発明の第２の側面によって提供される光ディスク装置は、複数装着されたディスクのうちの選択したものの記録面に光ビームを照射しつつこの光ディスクに情報の記録および／または再生を行なう光ディスク装置であって、
セットアップ時に複数装着されたディスクのうち選択したディスクを基準ディスクとしてこの基準ディスクからの反射光量を基準反射光量として記憶しておくとともに、任意の時点で上記複数装着されたディスクのうち選択した第１選択ディスクからの反射光量と上記基準反射光量とを比較し、上記第１選択ディスクからの反射光量が上記基準反射光量よりも所定以上小である場合に、他の１または複数の第２選択ディスクからの反射光量と上記基準反射光量とを比較し、いずれかの第２選択ディスクからの反射光量が上記基準反射光量とほぼ等しい場合には上記第１選択ディスクが汚染されていると判断し、第２選択ディスクからの反射光量がいずれも上記基準反射光量よりも所定以上小である場合には上記光ビームの光量が低下していると判断することを特徴としている。
【００１５】
好ましくは、上記光ディスク装置は、複数装着されたディスクのうちの選択したものの記録面に光ビームを照射しつつこの光ディスクに情報の記録および／または再生を行なう光ディスク装置であって、
ディスクからの反射光量を検出する反射光量検出手段と、
セットアップ時に上記複数装着されたディスクのうち選択したディスクから上記反射光量検出手段によって検出された反射光量を記憶する基準反射光量記憶手段と、
任意の時点で上記複数装着されたディスクのうち選択した第１選択ディスクからの反射光量と上記記憶手段に記憶された基準反射光量とを比較する第１の比較手段と、
上記第１の比較手段が、上記第１選択ディスクからの反射光量が上記基準反射光量よりも所定以上小であると判断した場合に他の１または複数の第２選択ディスクから上記反射光量検出手段によって検出された反射光量と上記記憶手段に記憶された基準反射光量とを比較する第２の比較手段と、
上記第２の比較手段が、いずれかの第２選択ディスクからの反射光量が上記基準反射光量とほぼ等しいと判断した場合に、上記第１選択ディスクが汚染されている旨を通知する第１の通知手段と、
上記第２の比較手段が、第２選択ディスクからの反射光量がいずれも上記基準反射光量よりも所定以上小であると判断した場合に、上記光ビームの光量が低下している旨を通知する第２の通知手段と、
を備える。
【００１６】
他の好ましい実施の形態においては、この光ディスク装置は、ブレード筐体を備え、このブレード筐体の一端に着脱自在に装着された媒体格納部に上記複数のディスクが装着されており、
上記ブレード筐体内に上記媒体格納部から距離を置いて、ディスクに対して情報の記録および／または再生を行なう記録再生部が配置されており、
上記複数のディスクのうちの選択したものは、媒体移動部によって上記媒体格納部と上記記録再生部との間を移動させられる。
【００１７】
本願発明の第２の側面に係る光ディスク装置は、複数枚のディスクを装着し、そのうちの１枚をたとえばチェンジャ（媒体移動部）によって記録再生部に搬送して記録・再生を行なうものである。後記するように、この光ディスク装置を複数統合してライブラリシステムに拡張する場合には、ディスクの枚数は、相当数にのぼる。ディスクは、交換可能とすることもできるが、通常使用時に交換はまず行なわない。番号で特定される複数枚のディスクが装着される場合、通常、番号の若いディスクから順にデータ記録が行なわれ、したがって、番号の若いディスクほど、記録・再生の頻度が多く、かつ、チェンジャによる搬送回数も多くなると考えられる。このことから、セットアップ後の任意の時点での複数のディスクは、その表面の汚れの程度が異なっており、殆ど汚れがないものも存在すると考えられる。本願発明の第２の側面に係る光ディスク装置は、このことを前提とするものである。
【００１８】
このような光ディスク装置において、セットアップ後の任意の時点でいずれかのディスク（第１選択ディスク）からの反射光量が低下している場合、光学系原因と媒体原因とが考えられる。本願発明の第２の側面では、セットアップ時に新品状態のディスクからの反射光量を基準反射光量として記憶しておき、上記反射光量が低下したディスクとは異なる他の１または複数枚のディスク（第２選択ディスク）からの反射光量と記憶された基準反射光量とを比較するという手法によっていずれの原因かを判定する。すなわち、いずれかの第２選択ディスクからの反射光量が上記基準反射光量とほぼ等しい場合は、第２選択ディスクのうちの殆ど汚れのないディスクからの反射光量が基準反射光量と同程度となっているのであるから、光学系の劣化または汚れはないことになる。したがって、上記した第１選択ディスクの反射光量の低下は、この第１選択ディスクの表面汚れが原因することになる。また、いずれの第２選択ディスクについても反射光量の低下がみられる場合は、殆ど汚れのないディスクについても反射光量が低下していることになるから、上記第１選択ディスクからの反射光量の低下は、光学系の劣化または汚れが原因することになる。このようにして、任意の時点でのディスクからの反射光量の低下の原因が判明する。
【００１９】
本願発明の第３の側面によって提供される光ディスクライブラリシステムは、上記ブレード筐体を有する光ディスク装置が複数着脱自在に装着されるシステム筐体と、
上記システム筐体に装着された複数の光ディスク装置のそれぞれにおける情報の記録および／または再生を統括する統括部を備えることを特徴としている。
【００２０】
上記したように、複数の光ディスク装置について、光学系の汚れ、あるいは光ディスク装置の数にも増して相当数のディスクの汚れが特定できるから、光学系の汚れの判明した光ディスク装置内の全てのデータの他の光ディスク装置への転送、あるいは、汚れの判明したディスクのデータの他のディスクへの転送といった対処をすることにより、大規模コンピュータシステムの巨大外部記憶装置としての光ディスクライブラリシステムの安全な継続運転が可能となる。
【００２１】
本願発明のその他の特徴および利点は、図面を参照して以下に行なう詳細な説明から、より明らかとなろう。
【発明を実施するための最良の形態】
【００２２】
以下、本願発明の好ましい実施の形態につき、図面を参照しつつ具体的に説明する。
【００２３】
図１は、本願発明の第１の側面が適用される光ディスク装置の一例である光磁気ディスク装置１００の構成例を示している。ディスクＤは、可換式であって、スピンドルモータ１０１に装着されて回転させられる。ディスクＤの記録面に光ビームを照射するための光学ヘッド１１０は、光源としてのレーザダイオード、および、ディスクＤからの反射光を電気信号に変換する光電変換器を含む光学ユニット１１１、並びに、光源から出射されたレーザビームを光スポットとしてディスクＤの記録面上に照射するための対物レンズ１１２等を含んでいる。ディスクＤの記録面で反射させられた光は同じ経路をたどって光学ユニット１１１に戻り、光電変換器によってアナログ電気信号に変換される。このアナログ電気信号は、ＲＦ回路１２０に伝送され、ここで所定のアナログ信号処理が施されてフォーカスエラー信号、トラックエラー信号および再生信号が生成される。また、このＲＦ回路１２０は、本願発明のディスクＤからの反射光量に相当するディスクＤの反射率をも検出するものとすることができる。したがって、この例の場合、このＲＦ回路１２０が本願発明にいう反射光量検出手段に相当する。このＲＦ回路１２０はまた、ディスクＤのトラック上に形成されたファインクロックマークから検出されるパルス信号をも生成する。光学ユニット１１１の光源は、レーザ駆動回路１２１によって駆動される。なお、反射率の検出については、ＲＦ回路１２０からサーボ制御回路１２２に出力される電気信号に基づいて行なうこともできる。この場合、ＲＦ回路１２０から出力される電気信号としては、フォーカスエラー信号のオフセット成分、あるいは、トラックエラー信号のオフセット成分を用いることができる。
【００２４】
光学ヘッド１１０にはまた、対物レンズ１１２をフォーカス方向とトラッキング方向（ディスクＤの半径方向）に微小駆動する二次元アクチュエータ１１３が設けられている。上記ＲＦ回路１２０で生成されたトラックエラー信号およびフォーカスエラー信号、並びに、パルス信号は、サーボ制御回路１２２に入力信号として与えられる。サーボ制御回路１２２は、トラックエラー信号およびフォーカスエラー信号に基づき、ＣＰＵ１２４の制御のもと、アクチュエータ駆動手段１２８を介して上記二次元アクチュエータ１１３を駆動し、光スポットがディスクＤのトラック上を適正なスポット径を維持しつつ移動するように上記対物レンズ１１２のフォーカス方向およびトラッキング方向の位置を制御する。サーボ制御回路１２２はまた、上記パルス信号に基づき、光スポットがトラック上を適正な線速度で移動するようにスピンドルモータ駆動回路１２３を介してスピンドルモータ１０１の回転を制御するほか、ＣＰＵ１２４からの指令により、ディスクＤの回転・停止制御等を行なう。
【００２５】
ＲＦ回路１２０から出力される再生信号は、信号処理回路１２５でデジタル信号に変換される。この装置全体はまた、ＣＰＵ１２４によって制御される。このＣＰＵ１２４内に、あるいはこのＣＰＵ１２４に付属させて、装置全体の各種の制御を行なうためのプログラムが格納されたメモリ（ＲＯＭ）１２６が設けられる。さらに、この光ディスク装置１００では、上記反射率を適宜記憶するための不揮発性メモリ（ＦＲＡＭ）１２７が付設されている。
【００２６】
上記においては、ディスクの再生時での機能に焦点を当てた構成を説明したが、記録・再生を行なう光磁気ディスク装置においては、パルス変調方式によって情報記録を行なう場合には、光学ヘッド１１０の光源を制御するための構成や、ディスクＤに外部磁界を与えるための構成、あるいは、磁界変調方式によって情報記録を行なう場合には、磁気ヘッドおよびこれを制御するための構成等、公知の構成が付加されることはいうまでもない。
【００２７】
上記構成において、ディスクＤの反射率は、たとえば、上記のようにして検出される反射率が低下しないようにレーザ駆動回路１２１を制御してレーザ光源の発光強度を調整するために用いられる。しかしながら、たとえば、対物レンズ１１２の表面に汚れが付着し、その程度が大きくなるにつれて、上記したレーザ光源の発光強度の調整も追いつかず、やがて、検出される反射率が低下してくる。レーザ光源が劣化した場合も同様である。また、ディスクＤの記録面に全面的な汚れが付着し、その程度が大きくなった場合も同様に、検出される反射率が低下してくる。可換式のディスク媒体を用いる光ディスク装置１００の場合、ディスクＤに汚れがある場合にはこのディスクを交換すればよいが、レーザ光源が劣化しており、あるいはレンズ面に汚れがある場合には、光学系のメインテナンスが必要である。このように、検出されるディスクＤの反射率の低下の原因が何であるかによって、対処方法が異なる。それ故、反射率の低下原因を簡易に特定することができるようにすることが望ましい。
【００２８】
本願発明の第１の側面に係る光ディスク装置では、次のような処理をすることによって、反射率の低下原因を特定できるように構成されている。
【００２９】
図２Ａないし図２Ｃは、反射率の低下原因を特定するための処理フローチャートである。図２Ａに示す装置のセットアップ処理では、本願発明における基準ディスクに相当する新品のディスクを装置に挿入させ（Ｓ１０１）、次の処理を行なう。すなわち、ディスクを回転させるとともに（Ｓ１０２）、レーザ光源を発光させ（Ｓ１０３）、このときに検出される反射率を基準反射率Ｒｉとして装置内の不揮発性メモリ１２７に記憶する（Ｓ１０４，Ｓ１０５）。したがって、この例の場合、不揮発性メモリ１２７が本願発明でいう基準反射光量記憶手段に相当する。
【００３０】
図２Ｂに示す通常処理では、使用ディスクが装着されると（Ｓ２０１）、ディスクを回転させるとともに（Ｓ２０２）、レーザ光源を発光させ（Ｓ２０３）、このときに検出される反射率Ｒａを一時記憶させておく（Ｓ２０４，Ｓ２０５）。そのためのメモリとしては、揮発性メモリであってよい。
【００３１】
図２Ｃに示す反射率低下原因判定処理では、使用ディスクについて検出された反射率Ｒａと上記不揮発性メモリ１２７に記憶されている基準反射率Ｒｉとの比較を行ない（Ｓ３０１）、ＲａがＲｉとほぼ等しいと判断した場合には、レーザ光源の劣化やレンズの汚れもなく、使用ディスクの表面の汚れもない正常な状態であるとして通常処理を継続する一方（Ｓ３０２）、ＲａがＲｉに対して所定の比率以下に小さい場合には、基準ディスク、たとえば、新品のディスクの装着を促す通知を行なう（Ｓ３０３）。すなわち、この例の場合、上記Ｓ３０１が本願発明でいう第１の比較手段に、上記Ｓ３０３が本願発明でいう第１の通知手段に、それぞれ相当する。基準ディスクが装着されると（Ｓ３０４でＹＥＳ）、その反射率Ｒｉ２を検出する（Ｓ３０５）。次いで、この再度装着された基準ディスクの反射率Ｒｉ２と上記不揮発性メモリに記憶されている基準反射率Ｒｉとの比較を行ない（Ｓ３０６）、Ｒｉ２がＲｉとほぼ等しいと判断した場合には、Ｒａが低下した原因が使用ディスクの汚れに起因するものと判断してその旨を通知する（Ｓ３０７）。同じ基準ディスクからの検出反射率がほぼ等しいので、光学系に異常はないと判断できるからである。またＲｉ２がＲｉに対して設定された比率以下に小さい場合には、レーザ光源の劣化やレンズの汚れ等、光学系に起因するものと判断してその旨を通知する（Ｓ３０８）。同じ基準ディスクからの検出反射率が低下しているので、光学系に異常があると判断できるからである。この例の場合、上記Ｓ３０６が本願発明でいう第２の比較手段に、上記Ｓ３０７が本願発明でいう第２の通知手段に、上記Ｓ３０８が本願発明でいう第３の通知手段に、それぞれ相当する。第１の通知手段、第２の通知手段および第３の通知手段による通知は、たとえば、装置の適部に配置された図示しないディスプレイに表示したり、音声で通知したり、あるいはこれらを併合して行なう。なお、基準ディスクとしては、上記のように、新品のディスクを用いてもよいが、特別に準備してこの光ディスク装置とともにユーザに提供されたものであってもよい。
【００３２】
図３ないし図６は、本願発明の第２の側面が適用される光ディスク装置の一例である光磁気ディスク装置１００Ａ、および、この光ディスク装置１００Ａが複数統合された光ディスクライブラリシステム２００の構成例を示している。図３に表れているように、このライブラリシステム２００は、１０台のブレード状光ディスク装置（以下、ブレード装置という。）１００Ａが組み込まれている。
【００３３】
ブレード装置１００Ａの筐体１３０は、たとえば、ディスクＤの直径の３倍を超える長さと、ディスクＤの直径よりやや大きい幅（図の高さ）と、ディスクＤの直径よりも大幅に小さい厚み（図では幅）とを備えた外形を有しており、この筐体１３０の一端には、ディスクが複数枚格納されたマガジン１３１（媒体格納部）が着脱可能に配置されている。
【００３４】
ライブラリシステム２００の筐体２１０には、上記した複数のブレード装置１００Ａが挿脱可能に実装されており、各ブレード装置１００Ａのマガジン１３１は、ブレード装置１００Ａがライブラリシステム２００の筐体２１０に挿入された状態においても着脱可能となっている。また、ライブラリシステム２００の筐体２１０には、複数のブレード装置１００Ａのそれぞれにおける情報の記憶・再生を統括する制御装置２２０（統括部）も備えられている。このようなライブラリシステム２００は、筐体に複数のブレード装置１００Ａがコンパクトに収められており、大容量の外部記憶装置となっている。マガジン１３１内のディスクＤやブレード装置１００Ａを増やすことによって、容易に容量拡張をすることができ、マガジン１３１やブレード装置１００Ａの着脱や交換によってメインテナンスを容易に行なうこともできる。
【００３５】
図４は、各ブレード装置１００Ａの構造を示す。このブレード装置１００Ａは、複数枚のディスクＤを格納したマガジン１３１（媒体格納部）と、このマガジン１３１から選択されたディスクＤに対して情報の記録・再生を行なうドライブ１４０（記録再生部）とを備えており、マガジン１３１とドライブ１４０との間には、それらの間でディスクＤを移動させるチェンジャ１５０（媒体移動部）を備えている。このブレード装置１００Ａにおけるマガジン１３１とは逆の一端にはまた、ブレード装置１００Ａと外部とのデータ移送を担うインターフェースのコネクタ１６１が設けられている。このブレード装置１００Ａがライブラリシステム２００の筐体２１０に装着されると、このコネクタ１６１はライブラリシステム２００側のコネクタと接続される。チェンジャ１５０は、ディスクＤをマガジン１３１に対して挿脱する機能と、ディスクＤを上下方向に移動させる機能と、ディスクＤをドライブ１４０に対し、装填および開放する機能とを有している。
【００３６】
図５は、各ブレード装置１００Ａの機能ブロック図である。上述したように、このブレード装置１００Ａは、マガジン１３１とチェンジャ１５０とドライブ１４０とを備えており、さらに、チェンジャ１５０やドライブ１４０を制御する制御部１２４と、ブレード装置１００Ａと外部とのデータ移送を担うインターフェース１６０とを備えている。
【００３７】
ドライブ１４０には、ディスクＤを保持して回転させるスピンドルモータ１０１と、ディスクＤに対して光ビームを照射して情報の記録および／または再生を行なう光学ヘッド１１１Ａ，１１１Ｂが備えられており、光学ヘッド１１１Ａ，１１１Ｂは、ディスクＤの第１面と第２面それぞれ用に２つ備えられている。ドライブ１４０には、第１面と第２面それぞれ用のリードライトチャネル１２５Ａ，１２５Ｂと、バッファとして機能するファーストイン・ファーストアウト（ＦＩＦＯ）メモリ１７０や不揮発性メモリ（ＦＲＡＭ）１２７等の各種のメモリも備えられている。
【００３８】
制御部１２４は、インターフェース１６０を介した図示しない経路によって装置外からの指令等を参照しつつ、このブレード装置１００Ａ全体の制御を行なう。たとえば、指定された論理アドレスが記されたセクタを含むディスクＤを選択してこれをドライブ１４０に装着するためのチェンジャ１５０の制御、ドライブ１４０に装着するべきディスクＤを交換するためのチェンジャ１５０の制御、装置のセットアップの制御、ドライブ１４０に装着されたディスクＤに対する記録・再生の制御等である。なお、上記セットアップ制御および再生制御においては、本願発明の第１の側面について前述したのと同様に、ディスクＤの反射率を検出してこれを適当なメモリに記憶させる制御も含まれる。
【００３９】
ライブラリシステム２００では、図６に略示するように、上記した複数のブレード装置１００Ａが実装されており、各ブレード装置１００Ａのインターフェース１６０を介して、電気的なスイッチによる高速切り換えが可能なデータ入出力装置２３０に接続されている。このデータ入出力装置２３０は、図３にも示した制御装置２２０（統括部）によって切り換えが制御される。また、制御装置２２０は、サーバなどといった上位システムとのデータ入出力を担う上位インターフェースに接続されており、そのような上位システムとのデータ入出力の同期をとるためのバッファメモリ２４０等を備えている。
【００４０】
上記ブレード装置１００Ａにおいて、ディスクＤの反射率は、たとえば、検出される反射率が低下しないようにレーザ光源の発光強度を調整するために用いられる。しかしながら、たとえば、対物レンズの表面に汚れが付着し、その程度が大きくなるにつれて、上記したレーザ光源の発光強度の調整も追いつかず、やがて、検出される反射率が低下してくる。レーザ光源が劣化した場合も同様である。また、ディスクＤの記録面に全面的な汚れが付着し、その程度が大きくなった場合も同様に、検出される反射率が低下してくる。上記のように複数のディスクＤを備えるブレード装置１００Ａが複数統合されたライブラリシステム２００では、データが複数のディスクＤに分散記録される場合や、複数のブレード装置１００Ａにわたって分散記録されるような場合もあり、システムダウンを起こすことなくこのライブラリシステム２００を継続運転させるには、反射率の低下が光学系に起因するのか、ディスクの汚れに起因するのかをいち早く特定し、それに応じた対処を施すことがきわめて重要となる。
【００４１】
なお、複数のディスクＤが装着された光ディスク装置１００Ａでは、各ディスクＤの汚れの程度は、ディスクＤの選択の頻度、すなわち記録・再生の回数の相違等により、異なる。選択頻度の少ないディスクＤについては、それほど汚れは進行しないと想定される。
【００４２】
上記を前提として、本願発明の第２の側面に係る、先に例示したブレード装置１００Ａのような複数のディスクＤを装着した光ディスク装置では、次のような処理をすることによって、反射率の低下原因を特定できるように構成されている。
【００４３】
図７Ａないし図７Ｃは、反射率の低下原因を特定するための処理フローチャートである。図７Ａに示す装置のセットアップ処理では、複数のディスクのうち、任意のディスクを選択し（Ｓ４０１）、次の処理を行なう。すなわち、ディスクを回転させるとともに（Ｓ４０２）、レーザ光源を発光させ（Ｓ４０３）、このときに検出される反射率を基準反射率Ｒｉとして装置内の不揮発メモリ１２７（基準反射光量記憶手段）に記憶する（Ｓ４０４，Ｓ４０５）。
【００４４】
図７Ｂに示す通常処理では、セットアップ後の任意の時点において、いずれかのディスク（第１選択ディスク）が選択され（Ｓ５０１）、この第１選択ディスクを回転させるとともに（Ｓ５０２）、レーザ光源を発光させ（Ｓ５０３）、このときに検出される反射率Ｒａを一時記憶させておく（Ｓ５０４，Ｓ５０５）。そのためのメモリとしては、揮発性メモリであってよい。
【００４５】
図７Ｃに示す反射率低下原因判定処理では、上記の第１選択ディスクについて検出された反射率Ｒａと上記不揮発性メモリに記憶されている基準反射率Ｒｉとの比較を行ない（Ｓ６０１）、ＲａがＲｉとほぼ等しいと判断した場合には、レーザ光源の劣化やレンズの汚れもなく、第１選択ディスクの表面の汚れもない正常な状態であるとして通常処理を継続する一方（Ｓ６０２）、ＲａがＲｉに対して所定比率以下に小さい場合には、他のディスク（第２選択ディスク）を選択するとともに（Ｓ６０３）、この第２選択ディスクについての反射率Ｒａ２を検出する（Ｓ６０４）。次いで、この第２選択ディスクの反射率Ｒａ２と上記不揮発性メモリ１２７に記憶されている基準反射率Ｒｉとの比較を行ない（Ｓ６０５）、Ｒａ２がＲｉとほぼ等しいと判断した場合には、Ｒａが低下した原因が第１選択ディスクの汚れに起因するものと判断してその旨を通知する（Ｓ６０６）。このような結果は、第２選択ディスクが、セットアップ時のディスクのように新品同様である場合にしか生じ得ず、したがって、Ｒａの低下は、第１選択ディスクの汚れによるものと判断できるからである。またＲａ２がＲｉに対して所定比率以下に小さい場合には、光学系に問題がある場合と、この第２選択ディスクも上記第１選択ディスクと同様に汚れが起因して反射率が低下している場合の双方が想定されるので、他のディスクをさらに選択してこれを新たな第２選択ディスクとして、その反射率Ｒａ２と上記Ｒｉとの比較を行なうという処理を複数回繰り返す（Ｓ６０８でＮＯ）。その結果、新たに選択したすべての第２選択ディスクについて、Ｒａ２がＲｉよりも所定の比率以下に小である場合には（Ｓ６０８でＹＥＳ）、Ｒａの低下は、レーザ光源の劣化やレンズの汚れといった、光学系に問題がある蓋然性が極めて高いので、その旨を通知する（Ｓ６０９）。なお、上記Ｓ６０６の媒体原因通知を行なったディスクが最終ディスクではない場合には（Ｓ６０７でＮＯ）、他のディスク選択のステップ（Ｓ６０３）に飛ぶ。そうして、いずれかの第２選択ディスクについてのＲａ２がＲｉとほぼ等しい場合には（Ｓ６０５）、光学系には問題なく、第１選択ディスクを含め、Ｒａ２がＲｉよりも所定の比率以下に小となった第２選択ディスクに汚れが存在するものとして、その旨通知されることになる（Ｓ６０６）。上記の各場合の通知は、たとえば、装置の適部に配置された図示しないディスプレイに表示したり、音声で通知したりすることはもちろん、ライブラリシステム２００の制御装置２２０への通知あるいは、ライブラリシステム２００のさらに上位システムへの通知も含まれる。なお、各ブレード装置１００Ａにおいて、マガジン１３１に装着される複数のディスクＤのうち１枚を、通常、記録・再生を行なわないディスクとして指定しておくことにより、任意の時点においても、新品に近いディスクが装置内で保持されることになるので、上記した処理におけるＲａの低下原因の特定確度がより高まる。
【００４６】
なお、上記したライブラリシステム２００が包含するブレード装置１００Ａ内のディスクＤの反射率低下原因を特定するための処理として、図８Ａおよび図８Ｂに示す処理を行なうようにしてもよい。
【００４７】
図８Ａに示す装置のセットアップ処理においては、複数のディスクのうち、任意のディスクを選択し（Ｓ７０１）、このディスクを回転させるとともに（Ｓ７０２）、レーザ光源を発光させ（Ｓ７０３）、このときに検出される反射率を基準反射率Ｒｉとして、装置内の不揮発性メモリに記憶する（Ｓ７０４，Ｓ７０５）。
【００４８】
図８Ｂに示す反射率低下原因判定処理では、すべてのディスクを順次選択してそれぞれの反射率Ｒａを検出し（Ｓ８０１）、それらを上記基準反射率Ｒｉと比較する（Ｓ８０２）。すべてのディスクのＲａがＲｉとほぼ等しい場合には、反射率低下に係る異常がないとして、通常処理を継続する（Ｓ８０３）。一方、Ｓ８０２でいずれかのディスクのＲａがＲｉに対して所定比率以下に小さい場合には（Ｓ８０２でＮＯ）、Ｓ８０４に進み、すべてのディスクの反射率ＲａがＲｉに対して所定比率以下に小であるかどうかが判断される。このステップでＹＥＳの場合には、光学系に起因した反射率低下異常であることが判るので、その旨の通知をする（Ｓ８０５）。また、Ｓ８０４でＮＯの場合は、反射率低下に係る媒体異常のディスクと正常なディスクとが混在することが判明するので、その旨の通知を行なう（Ｓ８０４）。この場合においても、複数のディスクのうち１枚を、通常時、記録・再生を行なわないディスクとして指定しておくことにより、上記した処理におけるＲａの低下原因の特定確度がより高まる。
【００４９】
したがって、ライブラリシステム２００が包含する複数のブレード装置（光ディスク装置）１００Ａについて、光学系の汚れや劣化、あるいは光ディスク装置１００Ａの数にも増して相当数にのぼるディスクＤの汚れが特定できるから、光学系の汚れや劣化の判明した光ディスク装置１００Ａ内の全てのデータを他の光ディスク装置１００Ａへ転送し、あるいは、汚れの判明したディスクＤのデータを他のディスクＤへの転送するといったいち早い対処をすることにより、大規模コンピュータシステムの巨大外部記憶装置としての光ディスクライブラリシステム２００の安全な継続運転が可能となる。
【００５０】
もちろん、この発明の範囲は上記した各実施形態に限定されるものではなく、各請求項に記載した事項の範囲内でのあらゆる変更は、すべて本願発明の範囲に含まれる。
【００５１】
各請求項に記載し事項を含め、本願の明細書および図面によって支持される本願発明の範囲を以下に付記しておく。
（付記１）
ディスクの記録面に光ビームを照射しつつこの光ディスクに情報の記録および／または再生を行なう光ディスク装置であって、
基準ディスクからの反射光量を基準反射光量として記憶しておくとともに、使用ディスクからの反射光量と上記基準反射光量とを比較し、使用ディスクからの反射光量が上記基準反射光量よりも所定以上小である場合に、基準ディスクの装着を促し、
再度装着された基準ディスクからの反射光量と上記基準反射光量とを比較し、基準ディスクからの再度の反射光量が上記基準反射光量とほぼ等しい場合には上記使用ディスクが汚染されていると判断し、基準ディスクからの再度の反射光量が上記基準反射光量よりも所定以上小である場合には上記光ビームの光量が低下していると判断することを特徴とする、光ディスク装置。
（付記２）
ディスクの記録面に光ビームを照射しつつこの光ディスクに情報の記録および／または再生を行なう光ディスク装置であって、
ディスクからの反射光量を検出する反射光量検出手段と、
基準ディスクから上記反射光量検出手段によって検出された反射光量を記憶する基準反射光量記憶手段と、
基準ディスク以外の使用ディスクから上記反射光量検出手段によって検出された反射光量と上記基準反射光量記憶手段に記憶された基準反射光量とを比較する第１の比較手段と、
上記第１の比較手段が、上記使用ディスクからの反射光量が上記基準反射光量よりも所定以上小であると判断した場合に基準ディスクの装着を促す第１の通知手段と、
上記第１の通知手段による通知の後に装着された基準ディスクから上記反射光量検出手段によって検出された再度の反射光量と上記記憶手段に記憶された基準反射光量とを比較する第２の比較手段と、
上記第２の比較手段が、上記再度の反射光量が上記基準反射光量とほぼ等しいと判断した場合に、上記使用ディスクが汚染されている旨を通知する第２の通知手段と、
上記第２の比較手段が、上記再度の反射光量が上記基準反射光量よりも所定以上小であると判断した場合に、上記光ビームの光量が低下している旨を通知する第３の通知手段と、
を備えることを特徴とする、光ディスク装置。
（付記３）
複数装着されたディスクのうちの選択したものの記録面に光ビームを照射しつつこの光ディスクに情報の記録および／または再生を行なう光ディスク装置であって、
セットアップ時に複数装着されたディスクのうち選択したディスクを基準ディスクとしてこの基準ディスクからの反射光量を基準反射光量として記憶しておくとともに、任意の時点で上記複数装着されたディスクのうち選択した第１選択ディスクからの反射光量と上記基準反射光量とを比較し、上記第１選択ディスクからの反射光量が上記基準反射光量よりも所定以上小である場合に、他の１または複数の第２選択ディスクからの反射光量と上記基準反射光量とを比較し、いずれかの第２選択ディスクからの反射光量が上記基準反射光量とほぼ等しい場合には上記第１選択ディスクが汚染されていると判断し、第２選択ディスクからの反射光量がいずれも上記基準反射光量よりも所定以上小である場合には上記光ビームの光量が低下していると判断することを特徴とする、光ディスク装置。
（付記４）
複数装着されたディスクのうちの選択したものの記録面に光ビームを照射しつつこの光ディスクに情報の記録および／または再生を行なう光ディスク装置であって、
ディスクからの反射光量を検出する反射光量検出手段と、
セットアップ時に上記複数装着されたディスクのうち選択したディスクから上記反射光量検出手段によって検出された反射光量を記憶する基準反射光量記憶手段と、
任意の時点で上記複数装着されたディスクのうち選択した第１選択ディスクからの反射光量と上記記憶手段に記憶された基準反射光量とを比較する第１の比較手段と、
上記第１の比較手段が、上記第１選択ディスクからの反射光量が上記基準反射光量よりも所定以上小であると判断した場合に他の１または複数の第２選択ディスクから上記反射光量検出手段によって検出された反射光量と上記記憶手段に記憶された基準反射光量とを比較する第２の比較手段と、
上記第２の比較手段が、いずれかの第２選択ディスクからの反射光量が上記基準反射光量とほぼ等しいと判断した場合に、上記第１選択ディスクが汚染されている旨を通知する第１の通知手段と、
上記第２の比較手段が、第２選択ディスクからの反射光量がいずれも上記基準反射光量よりも所定以上小であると判断した場合に、上記光ビームの光量が低下している旨を通知する第２の通知手段と、
を備えることを特徴とする、光ディスク装置。
（付記５）
上記反射光量検出手段は、トラッキングエラー信号の出力を用いる、付記２または４に記載の光ディスク装置。
（付記６）
上記反射光量検出手段は、フォーカスエラー信号の出力を用いる、付記２または４に記載の光ディスク装置。
（付記７）
ブレード筐体を備え、このブレード筐体の一端に着脱自在に装着された媒体格納部に上記複数のディスクが装着されており、
上記ブレード筐体内に上記媒体格納部から距離を置いて、ディスクに対して情報の記録および／または再生を行なう記録再生部が配置されており、
上記複数のディスクのうちの選択したものは、媒体移動部によって上記媒体格納部と上記記録再生部との間を移動させられる、付記３または４に記載の光ディスク装置。
（付記８）
付記７に記載の光ディスク装置が複数着脱自在に装着されるシステム筐体と、
上記システム筐体に装着された複数の光ディスク装置のそれぞれにおける情報の記録および／または再生を統括する統括部を備えることを特徴とする、光ディスクライブラリシステム。
【図面の簡単な説明】
【００５２】
【図１】本願発明の第１の側面に係る光ディスク装置の構成例を示す概略図である。
【図２Ａ】本願発明の第１の側面に係る光ディスク装置の制御処理例を示すフローチャートである。
【図２Ｂ】本願発明の第１の側面に係る光ディスク装置の制御処理例を示すフローチャートである。
【図２Ｃ】本願発明の第１の側面に係る光ディスク装置の制御処理例を示すフローチャートである。
【図３】本願発明の第２の側面に係る光ディスク装置および光ディスクライブラリシステムの構成例を示す斜視図である。
【図４】図３に示された光ディスク装置の構造の説明図である。
【図５】図３に示された光ディスク装置の機能ブロック図である。
【図６】光ディスクライブラリシステムのブロック図である。
【図７Ａ】本願発明の第２の側面に係る光ディスク装置の制御処理例を示すフローチャートである。
【図７Ｂ】本願発明の第２の側面に係る光ディスク装置の制御処理例を示すフローチャートである。
【図７Ｃ】本願発明の第２の側面に係る光ディスク装置の制御処理例を示すフローチャートである。
【図８Ａ】本願発明の第２の側面に係る光ディスク装置の他の制御処理例を示すフローチャートである。
【図８Ｂ】本願発明の第２の側面に係る光ディスク装置の他の制御処理例を示すフローチャートである。
【符号の説明】
【００５３】
１００      光ディスク装置
１００Ａ    光ディスク装置（ブレード装置）
１０１      スピンドルモータ
１１０      光学ヘッド
１１２      対物レンズ
１２４      制御部
１２７      不揮発性メモリ（ＦＲＡＭ）
１３０      筐体
１３１      マガジン
１４０      ドライブ
１５０      チェンジャ
２００      ライブラリシステム
２１０      筐体
２２０      制御部（統括部）
Ｄ          ディスク
【図１】
2005078701.tif 000003
【図２Ａ】
2005078701.tif 000004
【図２Ｂ】
2005078701.tif 000005
【図２Ｃ】
2005078701.tif 000006
【図３】
2005078701.tif 000007
【図４】
2005078701.tif 000008
【図５】
2005078701.tif 000009
【図６】
2005078701.tif 000010
【図７Ａ】
2005078701.tif 000011
【図７Ｂ】
2005078701.tif 000012
【図７Ｃ】
2005078701.tif 000013
【図８Ａ】
2005078701.tif 000014
【図８Ｂ】
2005078701.tif 000015